【手続補正書】
【提出日】平成15年12月2日(2003.12.2)
【手続補正１】
【補正対象書類名】特許請求の範囲
【補正対象項目名】全文
【補正方法】変更
【補正の内容】
【特許請求の範囲】
【請求項１】
第１のデータ・ポートを介してデータ・ストリームを受信し、当該データ・ストリームの少なくとも第１の部分に基づいて少なくとも１つの照明条件を発生させ、第２のデータ・ポートを介して前記データ・ストリームの少なくとも第２の部分を伝達するように適合されたＬＥＤ照明システムと、
前記ＬＥＤ照明システムを保持し、第１および第２のデータ・ポートを、第１の側と第１の側から電気的に絶縁されている第２の側とを有する少なくとも１つの不連続セクションを持つ電気的導体を備えるデータ接続部と電気的に関連付けるように適合されたハウジングと、を備え、
前記ハウジングは、第１のデータ・ポートが不連続セクションの第１の側と電気的に関連付けられ、且つ第２のデータ・ポートが不連続セクションの第２の側と電気的に関連付けられるように適合されている、照明システム。
【請求項２】
前記ハウジングはさらに、当該ハウジングとデータ接続部との位置を揃えるために使用される機構を備える請求項１に記載の照明システム。
【請求項３】
前記機構は、前記ハウジングと少なくとも１つの不連続セクションとの位置を揃えるように適合される請求項２に記載の照明システム。
【請求項４】
前記機構が突出部を備え、当該突出部は前記不連続セクションに挿入される請求項３に記載の照明システム。
【請求項５】
圧接コネクタを介して第１のデータ・ポートおよび第２のデータ・ポートのうちの少なくとも一つを前記データ接続部と電気的に関連付ける請求項１から４のいずれか一項に記載の照明システム。
【請求項６】
締結具を介して第１のデータ・ポートおよび第２のデータ・ポートのうちの少なくとも一つを前記データ接続部と電気的に関連付ける請求項１から５のいずれか一項に記載の照明システム。
【請求項７】
第１のデータ・ポートおよび第２のデータ・ポートのうちの少なくとも一つの電気的関連付けは、前記ハウジングを前記データ接続部に固定するのに十分な機械的取り付けである請求項１から６のいずれか一項に記載の照明システム。
【請求項８】
前記ＬＥＤ照明システムは、前記データ・ストリームから第１の部分を剥ぎ取るように適合されている請求項１から７のいずれか一項に記載の照明システム。
【請求項９】
前記ＬＥＤ照明システムはさらに、前記データ・ストリームの少なくとも剥ぎ取られていな部分を他のシステムに伝達するように適合されている請求項８に記載の照明システム。
【請求項１０】
前記ＬＥＤ照明システムは、前記データ・ストリームの第１の部分を操作するように適合されている請求項１から７のいずれか一項に記載の照明システム。
【請求項１１】
前記ＬＥＤ照明システムはさらに、前記データ・ストリームの少なくとも操作された第１の部分を伝達するように適合されている請求項１０に記載の照明システム。
【請求項１２】
前記ＬＥＤ照明システムはさらに、前記データ・ストリームの少なくともまだ操作されていない部分を伝達するように適合されている請求項１０又は１１に記載の照明システム。
【請求項１３】
前記ＬＥＤ照明システムは、前記データ・ストリームの第１の部分を修正するように適合されている請求項１から７のいずれか一項に記載の照明システム。
【請求項１４】
前記ＬＥＤ照明システムは、前記データ・ストリームの第１の部分を、当該第１の部分の少なくとも１つのビットを変更することにより修正するように適合されている請求項１３に記載の照明システム。
【請求項１５】
前記ＬＥＤ照明システムは、前記データ・ストリームの第１の部分を、当該第１の部分に少なくとも１つのビットを加えることにより修正するように適合されている請求項１３に記載の照明システム。
【請求項１６】
前記第１の部分がデータのパケットを含む請求項１３に記載の照明システム。
【請求項１７】
前記データのパケットは、前記ＬＥＤ照明システムによって受信されたデータの第１の未修正のパケットを含む請求項１６に記載の照明システム。
【請求項１８】
前記ＬＥＤ照明システムは、少なくとも修正された部分を他のシステムに伝達するように適合されている請求項１３に記載の照明システム。
【請求項１９】
前記ＬＥＤ照明システムは、データ・パケットを含む前記データ・ストリームの第１の部分を読み込むように適合されている請求項１から１８のいずれか一項に記載の照明システム。
【請求項２０】
前記データ・パケットが、データ・パケットの状態を示す識別データと関連付けられている請求項１９に記載の照明システム。
【請求項２１】
前記状態は、前記データ・パケットが他のシステムによってすでに読み込まれているかどうかを示す請求項２０に記載の照明システム。
【請求項２２】
前記ＬＥＤ照明システムは、前記データ・ストリームの第１の部分に応答して色の強さを変化させるように適合されている単色生成ＬＥＤ照明システムを含む請求項１から２１のいずれか一項に記載の照明システム。
【請求項２３】
前記ＬＥＤ照明システムは、前記データ・ストリームの第１の部分に応答して、前記ＬＥＤ照明システムによって生成される光の強さおよび色の少なくとも一つを変化させるように適合されている多色生成ＬＥＤ照明システムを含む請求項１から２１のいずれか一項に記載の照明システム。
【請求項２４】
前記ＬＥＤ照明システムは、アナログ制御信号、ＰＷＭ制御信号、および電流制御信号のうち少なくとも１つを使用してＬＥＤを制御する請求項２２又は２３に記載の照明システム。
【請求項２５】
前記ＬＥＤ照明システムが少なくとも２つの異なる色生成ＬＥＤを備え、前記ＬＥＤ照明システムは、当該少なくとも２つの異なる色生成ＬＥＤを独立に制御する請求項２３に記載の照明システム。
【請求項２６】
前記ＬＥＤ照明システムはさらに、少なくとも１つのＬＥＤおよびプロセッサが取り付けられているプラットフォームを備え、前記ハウジングでプラットフォームを保持する請求項１から２５のいずれか一項に記載の照明システム。
【請求項２７】
前記プラットフォームが上面および底面を備え、前記プロセッサは前記底面に関連付けられ、前記少なくとも１つのＬＥＤは前記上面に関連付けられる請求項２６に記載の照明システム。
【請求項２８】
前記少なくとも１つのＬＥＤが複数のＬＥＤを含む請求項２７に記載の照明システム。
【請求項２９】
前記複数のＬＥＤが少なくとも２つの異なる色生成ＬＥＤを含む請求項２８に記載の照明システム。
【請求項３０】
前記複数のＬＥＤが、赤色生成ＬＥＤ、緑色生成ＬＥＤおよび青色生成ＬＥＤを含む請求項２９に記載の照明システム。
【請求項３１】
前記プラットフォームの上面の表面積が約３．２２５８ｃｍ２（ほぼ０．５平方インチ）未満である請求項２６から３０のいずれか一項に記載の照明システム。
【請求項３２】
前記プラットフォームの上面の表面積が約１．６１２９ｃｍ２（ほぼ０．２５平方インチ）未満である請求項３１に記載の照明システム。
【請求項３３】
前記プラットフォームの上面の表面積が約１．２９０３２ｃｍ２（ほぼ０．２平方インチ）未満である請求項３２に記載の照明システム。
【請求項３４】
前記プラットフォームの上面の表面積が約０．９６７７４ｃｍ２（ほぼ０．１５平方インチ）未満である請求項３３に記載の照明システム。
【請求項３５】
前記プラットフォームの上面の表面積が約０．６４５１６ｃｍ２（ほぼ０．１平方インチ）未満である請求項３４に記載の照明システム。
【請求項３６】
前記プラットフォームの上面の表面積が約０．３２２５８ｃｍ２（ほぼ０．０５平方インチ）未満である請求項３５に記載の照明システム。
【請求項３７】
前記ＬＥＤ照明システムの少なくとも１つのＬＥＤと光学的に関連付けられた形で配置されている光学機器をさらに備え、前記光学機器が、ガラス、プラスチックおよびポリカーボネートのうちの少なくとも１つを含む請求項１から３６のいずれか一項に記載の照明システム。
【請求項３８】
前記光学機器がプリズム効果を生成するように適合されている請求項３７に記載の照明システム。
【請求項３９】
前記データ接続部が複数の照明システムを直列に接続する請求項１から３８のいずれか一項に記載の複数の照明システム。
【請求項４０】
建物の外装面、建物の外装面、歩道、小道、樹木、クリスマスツリー、ゲーム、ビデオ・ゲーム、ジュークボックス、ギャンブリング・マシン、スロット・マシン及びピンボール・マシンのうちの１つと組み合って配置された請求項５５に記載の複数の照明システム。
【請求項４１】
複数の照明システムを制御する方法であって、
データ・ストリームを複数の照明システムのうちの第１の照明システムに伝達するステップと、
第１の照明システムでデータ・ストリームを受信し、当該データ・ストリームの少なくとも第１の部分を読み込むステップと、
前記データ・ストリームの第１の部分に応答して第１の照明システムで少なくとも１つの照明効果を発生するステップと、
前記データ・ストリームの少なくとも第２の部分を前記複数の照明システムのうちの第２の照明システムに伝達するステップと、を備える方法。
【請求項４２】
前記複数の照明システムが複数のＬＥＤ照明システムを含む請求項４１に記載の方法。
【請求項４３】
前記複数の照明システムが複数のイルミネーション・システムを含む請求項４１又は４２に記載の方法。
【請求項４４】
前記複数の照明システムが複数の非ＬＥＤ照明システムを含む請求項４１又は４３に記載の方法。
【請求項４５】
前記複数の照明システムが複数の色変化ＬＥＤ照明システムを含む請求項４１から４３のいずれか一項に記載の記載の方法。
【請求項４６】
第１の照明システムに、前記データ・ストリームから当該データ・ストリームの第１の部分を剥ぎ取らせるステップをさらに含み、
第１の照明システムに、前記データ・ストリームの少なくとも第２の部分を前記複数の照明システムのうちの第２の照明システムに伝達させる前記のステップが、第１の照明システムに、前記データ・ストリームの少なくとも第２の部分を前記複数の照明システムの第２の照明システムに伝達させるステップを含み、
前記データ・ストリームの第２の部分が第１の部分を含まない
請求項４１から４５のいずれか一項に記載の方法。
【請求項４７】
第１の照明システムに前記データ・ストリームの第１の部分を修正させることにより、前記複数の照明システム内の残りの照明システムが第１の照明システムにより第１の部分が読み込まれたことを認識するステップをさらに含み、
第１の照明システムに、前記データ・ストリームの少なくとも第２の部分を前記複数の照明システムのうちの他の照明システムに伝達させる前記のステップが、第１の照明システムに、前記データ・ストリームの少なくとも第２の部分を前記複数の照明システムのうちの他の照明システムに伝達させるステップを含み、
前記データ・ストリームの第２の部分が前記データ・ストリームの修正された第１の部分を含む
請求項４１から４５のいずれか一項に記載の方法。
【請求項４８】
第１の照明システムに前記データ・ストリームの第１の部分を修正させることにより、前記複数の照明システム内の残りの照明システムが第１の照明システムによって第１の部分が読み込まれたことを認識する前記ステップは、第１の照明システムに付加ビットで前記データ・ストリームの第１の部分を修正させることにより、前記複数の照明システム内の残りの照明システムが第１の照明システムによって前記第１の部分が読み込まれたことを認識するステップを含む請求項４７に記載の方法。
【請求項４９】
第１の照明システムに前記データ・ストリームの第１の部分を修正させることにより、前記複数の照明システム内の残りの照明システムが第１の照明システムによって第１の部分が読み込まれたことを認識する前記ステップは、第１の照明システムに前記データ・ストリームの第１の部分の１ビットを修正させることにより、前記複数の照明システム内の残りの照明システムが第１の照明システムによって前記第１の部分が読み込まれたことを認識するステップを含む請求項４７に記載の方法。
【請求項５０】
前記データ・ストリームが複数のデータ・パケットを含み、
第１の照明システムに前記データ・ストリームを受信させ且つ前記データ・ストリームの第１の部分を読み込ませる前記ステップは、第１の照明システムに前記データ・ストリームを受信させ且つ前記データ・ストリームから第１の未読データ・パケットを読み込ませるステップを含み、
第１の照明システムに前記データ・ストリームの第１の部分に応答して照明効果を発生させる前記ステップは、第１の照明システムに前記データ・ストリームからの第１の未読データ・パケットに応答して照明効果を発生させるステップを含む
請求項４１から４９のいずれか一項に記載の方法。